(57)【要約】  識別バッジ・システムは、電子画像を通信する画像中継デバイスと、画像中継デバイスと通信するベース・ステーションと、準備インジケータと、再利用可能バッジとを有する。ベース・ステーションは、バッジをドッキングする少なくとも１つのドッキング・レセプタクルを有する。バッジは、ハウジングおよびｅペーパー・ディスプレイを有する。ハウジングは、ベース・ステーションからｅペーパー・ディスプレイへの電子画像の通信のため、かつ／または充電のためにドッキングする。ｅペーパー・ディスプレイは、バッジがレセプタクルから除去された時に電子画像を維持する。ベース・ステーションは、バッジが再ドッキングされた時にｅペーパー・ディスプレイから電子画像を消去する。バッジは、標準的なアクセス制御リーダー、ライタ、およびコントローラと通信するＲＦＩＤタグを有し、Ｗｉ−ＦｉルータまたはＢｌｕｅｔｏｏｔｈビーコンにＲＦ信号を送ることによって訪問者位置を追跡するＷｉ−Ｆｉトランスポンダおよび関連する回路網を有する。訪問者位置を、ＧＰＳを使用しても確認することもできる。【選択図】図２
2021510862.tif 000002
【特許請求の範囲】
【請求項１】
一時的／訪問者識別バッジ・システムであって、
−人の電子画像あるいは人の氏名、レコードＩＤ番号、または他の識別するマークもしくは情報を通信する画像中継デバイス、
−前記バッジ（１つまたは複数）を充電し、かつ／または前記画像中継デバイスと通信することのできるベース・ステーションまたはパワー・ケーブルであって、前記ベース・ステーションは、少なくとも１つのドッキング・レセプタクルを有する、ベース・ステーションまたはパワー・ケーブル、
−準備インジケータ、および／または、
−再利用可能なバッジであって、ハウジングと、ブザーまたは振動デバイスと、カラーｅペーパー・ディスプレイまたは白黒ｅペーパー・ディスプレイもしくはグレイスケールｅペーパー・ディスプレイ上に配置された色付きフィルムまたは白黒ｅペーパー・ディスプレイと、リアルタイム位置追跡（ＲＴＬＳ）または全地球測位システム（ＧＰＳ）位置追跡のためのＷｉ−ＦｉトランスポンダもしくはＢｌｕｅｔｏｏｔｈトランスポンダもしくはＧＰＳチップセットおよび関連する回路網ならびに／あるいは人の電子画像あるいは人の氏名、レコードＩＤ番号、または他の識別するマークもしくは情報を含むバッジとの通信およびデータ転送のためのＷｉ−ＦｉトランスポンダもしくはＢｌｕｅｔｏｏｔｈトランスポンダと、前記再利用可能なバッジの使用に関する情報、ソフトウェア、もしくはファームウェアを物理的に自己破壊しかつ／または自動的に消去する構成要素を含む内部電子構成要素とを有する再利用可能なバッジ
を含み、
−前記ハウジングは、前記ハウジングが前記ベース・ステーションまたは充電ケーブルの前記少なくとも１つのドッキング・レセプタクル内にドッキングされる時に、前記バッジを充電し、かつ／または前記ベース・ステーションから前記ｅペーパー・ディスプレイに前記電子画像を通信するために前記ベース・ステーションの前記少なくとも１つのドッキング・レセプタクル内にドッキングされるように適合され、
−前記ｅペーパー・ディスプレイは、前記再利用可能バッジが前記ベース・ステーションの前記少なくとも１つのドッキング・レセプタクルから除去される時に、前記画像中継デバイスから受信された前記電子画像を維持するように適合され、
−前記準備インジケータは、前記ベース・ステーションが前記再利用可能バッジへの前記電子画像の通信を完了した時を示し、これによって、前記再利用可能バッジが使用および前記ベース・ステーションからの除去の準備ができていることを示すように適合され、
−前記ベース・ステーションは、前記再利用可能バッジが前記ベース・ステーションの前記少なくとも１つのドッキング・レセプタクルに再ドッキングされた時に前記ｅペーパー・ディスプレイから前記電子画像を消去するように適合され、
前記再利用可能バッジは、ＲＦＩＤタグをさらに含み、かつ／または、
前記再利用可能バッジは、電源をさらに含む
一時的／訪問者識別バッジ・システム。
【請求項２】
前記再利用可能バッジは、Ｗｉ−Ｆｉ後方散乱を使用して可読の識別または情報を符号化される、請求項１に記載の識別バッジ・システム。
【請求項３】
バッジ位置追跡情報を受信し、記憶する、前記バッジまたは前記ベース・ステーションとは別々のストレージ位置をさらに含む、請求項１に記載の識別バッジ・システム。
【請求項４】
前記ｅペーパー・ディスプレイは、少なくとも１つの色を有するオーバーレイ・フィルムによって着色される、請求項１に記載の識別バッジ・システム。
【請求項５】
前記ｅペーパー・ディスプレイは、ｅインクによって着色される、請求項１に記載の識別バッジ・システム。
【請求項６】
前記システムは、施設内のアクセス・ポイントにＲＦＩＤリーダーを有する前記施設で使用され、前記再利用可能バッジ内の前記ＲＦＩＤタグは、前記ＲＦＩＤリーダーとの通信に使用される、請求項１に記載の識別バッジ・システム。
【請求項７】
前記ベース・ステーションは、前記ＲＦＩＤタグと通信するＲＦＩＤリーダーをさらに含み、これによって、情報が、前記ベース・ステーションに通信され、前記情報は、前記ベース・ステーションからの前記再利用可能バッジの除去のタイム・スタンプ、前記ベース・ステーションでの前記再利用可能バッジの再ドッキングのタイム・スタンプ、電子画像情報、前記電子画像に関連する電子アイデンティティ情報、説明可能な人の情報、認証情報、およびその組合せからなる群から選択される、請求項１に記載の識別バッジ・システム。
【請求項８】
前記ＲＦＩＤタグは、ＨＦ  ＲＦＩＤタグ、ＵＨＦ  ＲＦＩＤタグ、およびその組合せからなる群から選択される、請求項１に記載の識別バッジ・システム。
【請求項９】
前記電源は、前記再利用可能バッジが規定された時間期間内に再ドッキングされない場合に前記ｅペーパー・ディスプレイから前記電子画像を消去するのに十分な電荷を保持するキャパシタである、請求項１に記載の識別バッジ・システム。
【請求項１０】
前記電源は、前記再利用可能バッジが規定された時間期間内に再ドッキングされない場合に前記ｅペーパー・ディスプレイから前記電子画像を上書きするのに十分な電荷を保持するキャパシタである、請求項１に記載の識別バッジ・システム。
【請求項１１】
前記電源は、バッテリである、請求項１に記載の識別バッジ・システム。
【請求項１２】
前記ベース・ステーションは、前記再利用可能バッジに追加の識別情報を通信するようにさらに適合され、前記ｅペーパー・ディスプレイは、情報の少なくとも１つの追加ページをさらに含む、請求項１に記載の識別バッジ・システム。
【請求項１３】
前記画像中継デバイスは、スキャナ、カメラ、ＱＲリーダー、バーコード・リーダー、およびその組み合わせからなる群から選択される、請求項１に記載の識別バッジ・システム。
【請求項１４】
前記ベース・ステーションは、複数の再利用可能バッジをドッキングするように適合される、請求項１に記載の識別バッジ・システム。
【請求項１５】
前記ベース・ステーションは、コンピュータに接続されるように適合される、請求項１に記載の識別バッジ・システム。
【請求項１６】
前記準備インジケータは、前記再利用可能バッジ上に設けられる、請求項１に記載の識別バッジ・システム。
【請求項１７】
前記準備インジケータは、前記ベース・ステーション上に設けられる、請求項１に記載の識別バッジ・システム。
【請求項１８】
前記ブザーまたは振動デバイスは、前記ベース・ステーション上に設けられる、請求項１に記載の識別バッジ・システム。
【請求項１９】
前記バッジは、前記バッジが前記施設内のＲＦＩＤリーダーと音信不通になる時に前記バッジに自己破壊させる内部回路網をさらに含む、請求項６に記載の識別バッジ・システム。
【発明の詳細な説明】
【技術分野】
【０００１】
関連出願
本特許出願は、２０１７年２月２０日に出願され、放棄された米国特許出願第１５／４３７２９１号の部分継続出願である、２０１８年１月１５日に出願され、出願中である米国特許出願第１５／８７１８８９号の部分継続出願である。
【０００２】
本発明は、識別バッジのシステムに関し、具体的には、識別バッジ、特に訪問者識別バッジを発行し、維持するシステムに関する。
【背景技術】
【０００３】
多数の雇用者は、従業員が、雇用者の施設内で、許可された人員を識別するバッジを着用することを要求する。したがって、これらの雇用者の多くは、訪問者または時間ごとのスタッフなどの他の臨時の人員が、その訪問者が指定されたチェックポイントでチェックインしたことを確認するためにバッチを着用することをも要求する。雇用者による知的財産の濫用に対する保護を超えて、そのようなチェックインは、しばしば、緊急の場合にすべての人が考慮に入れられるようにするために必要である。
【０００４】
米国特許第７７３３２３１Ｂ２号（Ｃａｒｎｅｙ他）に、印刷された部分とディスプレイ部分とを有するセキュリティ・デバイスが記載されている。印刷された部分は、印刷された写真と、その人の識別、職業、セキュリティ・レベルなどに関する印刷された情報とを含む。ディスプレイ部分は、テキストまたはイメージによって、別のセキュリティ・デバイスからのデータに基づく情報を表示する、ｅペーパー表面または他のタイプのディスプレイとすることができる。たとえば、ディスプレイ部分は、デバイスの印刷された部分と並んでデフォルト情報「Ｉｎａｃｔｉｖｅ（非アクティブ）」を表示することができる。Ｃａｒｎｅｙ他は、多くが範囲において非常に複雑であるが、ほとんどが訪問者のバッジ以外の、より永久的で長期的な１人の人による使用に関する、セキュリティ・バッジのさまざまな実施形態を説明している。
【０００５】
すなわち、Ｃａｒｎｅｙ他で説明されるものなどのセキュリティ・バッジは、フル・タイム従業員による永久的使用によく適する可能性がある。しかし、そのセキュリティ・バッジは、訪問者または臨時の人員のバッジに関して非常に複雑である。
【０００６】
一部の会社は、粘着性の裏板を有するラベルに訪問者識別情報を印刷する。しかし、粘着性の裏板は、しばしば、一部の織物（たとえば、重い毛織物）では機能しないが、他の織物（たとえば、軽い絹）には攻撃的過ぎる。代替案では、たとえば訪問者の衣類にピンまたはクリップで止められ、またはラニヤードで訪問者の首からぶら下げることのできるプラスティック・スリーブ内で持ち運ばれるラベルを設計することができる。他の会社は、訪問者が識別チェックポイントを通過し、その場にいることを許可されたことを示す、一般的な「訪問者」バッジを提供する。しかし、多くのバッジは、たとえば廊下で訪問者とすれ違うセキュリティ人員または他の従業員によってたやすく認証され得るディスプレイを提供しない。バッジがその人のためのものであるとの画像がなければ、訪問者バッジは、許可されない人に誤ってまたは不正に提供される可能性がある。さらに、ラベル・プリンタは、たとえば多数の訪問者が同時に到着する時または非常に重要な訪問者がチェックインを待っている時など、最も都合の悪い時に故障しまたはインク切れになることで悪名高い。最後に、安全およびセキュリティのために、訪問者、時間ごとの人員、および他の臨時の人員を訪問の際彼らの位置のヒストリカル・レコードと共にリアルタイムで追跡することが、ますます重要になりつつある。
【０００７】
より簡単に実施される識別バッジ・システムの必要がある。再利用可能であり、バッジの着用者のリアルタイム位置追跡を提供できる識別バッジ・システムの必要もある。
【図面の簡単な説明】
【０００８】
本発明のシステムは、好ましい実施形態の以下の詳細な説明およびその中で参照される図面を参照することによって、よりよく理解される。
【０００９】
【図１】本発明の識別バッジ・システムの一実施形態を示す正面図である。
【図２】図１の識別バッジ・システムを示す上面図である。
【図３】本発明の識別バッジ・システムの再利用可能バッジの一実施形態を示す正面図である。
【図４】本発明の識別バッジ・システムの別の実施形態を示す透視図である。
【図５】本発明の識別バッジ・システムの再利用可能バッジの別の実施形態を示す底面図である。
【図６Ａ】本発明の識別バッジ・システムの再利用可能バッジのさらに別の実施形態を示す正面図である。
【図６Ｂ】本発明の識別バッジ・システムの再利用可能バッジのさらなる実施形態を示す正面図である。
【発明の概要】
【００１０】
本発明の一態様によれば、識別バッジ・システムであって、人の電子画像を通信する画像中継デバイスと、画像中継デバイスと通信するベース・ステーションであって、ベース・ステーションは、少なくとも１つのドッキング・レセプタクルを有する、ベース・ステーションと、準備インジケータと、ハウジングおよびｅペーパー・ディスプレイを有する再利用可能なバッジとを含み、ハウジングは、ハウジングがベース・ステーションの少なくとも１つのドッキング・レセプタクル内にドッキングされる時に、ベース・ステーションからｅペーパー・ディスプレイに電子画像を通信するためにベース・ステーションの少なくとも１つのドッキング・レセプタクル内にドッキングされるように適合され、ｅペーパー・ディスプレイは、再利用可能バッジがベース・ステーションの少なくとも１つのドッキング・レセプタクルから除去される時に、画像中継デバイスから受信された電子画像を維持するように適合され、準備インジケータは、ベース・ステーションが再利用可能バッジへの電子画像の通信を完了した時を示し、これによって、再利用可能バッジが使用およびベース・ステーションからの除去の準備ができていることを示すように適合され、ベース・ステーションは、再利用可能バッジがベース・ステーションの少なくとも１つのドッキング・レセプタクルに再ドッキングされた時にｅペーパー・ディスプレイから電子画像を消去するように適合される、識別バッジ・システムが提供される。
【００１１】
再利用可能バッジは、訪問者位置を追跡し、施設内のＷｉ−ＦｉルータまたはＢｌｕｅｔｏｏｔｈビーコンにラジオ周波数信号を送ることによってバッジにプッシュ通知を送るのに使用されるＷｉ−Ｆｉトランスポンダおよび関連回路網をも含む。この追跡は、リアルタイム位置追跡を含み、一実施形態では、デジタル訪問者バッジとは別のセキュア位置に記憶されるヒストリカル位置追跡情報を提供する。再利用可能バッジは、たとえばセキュア施設内の標準的なアクセス制御リーダー、ライタ、およびコントローラと通信することのできるＲａｄｉｏ  Ｆｒｅｑｕｅｎｃｙ  Ｉｄｅｎｔｉｆｉｃａｔｉｏｎタグ（ＲＦＩＤタグ）をさらに含む。
【発明を実施するための形態】
【００１２】
本発明は、たとえば雇用者の施設または他のアクセス制限された施設のロビー内の、識別チェックポイントでたやすく実施される識別バッジ・システムを提供する。本発明の識別バッジ・システムは、大がかりな祭典、会議、または類似物への事前に許可された訪問者または客の画像を受信するようにも適合可能である。
【００１３】
ここで図面を参照すると、図１および図２は、本発明の識別バッジ・システム１０の一実施形態を示す。本発明の識別バッジ・システム１０は、ベース・ステーション１２を有する。ベース・ステーション１２は、再利用可能バッジ２０をドッキングする少なくとも１つのドッキング・レセプタクル１４を有する。図１および図２に示された実施形態では、ベース・ステーション１２は、一時に１６個までの再利用可能バッジ２０を受けるために１６個のドッキング・レセプタクル１４を有する。ドッキング・レセプタクル１４の他の個数および構成が、本発明の趣旨から逸脱せずに可能である。
【００１４】
ベース・ステーション１２は、ベース・ステーション１２にユーザ・インターフェースを提供するためにコンピュータ（図示せず）に接続され得る。コンピュータへの接続は、たとえば、アクセス制御された建物の永久的なセキュリティ・デスク、受付、またはオフィスで特に有利である可能性がある。代替案では、ベース・ステーション１２は、独立に動作するために必要なすべての情報を受信するように適合され得る。そのような動作は、チェックイン・テーブルが一時的にセット・アップされる、会議または他の大がかりな祭典のチェックイン・テーブルに特に適用可能である可能性がある。ベース・ステーション１２は、ウェブ・ブラウザを介してユーザ・インターフェースを提供するシングル・ボード・コンピュータ（図示せず）を収容することができる。
【００１５】
どの場合でも、ベース・ステーション１２は、直接にまたはコンピュータを介して間接に、画像中継デバイス（図示せず）と通信するように適合される。画像中継デバイスは、訪問者または客の写真ＩＤを取り込むことのできるカメラまたはスキャナなどの画像取込デバイスとすることができる。この場合に、本発明の識別バッジ・システム１０の操作員は、写真ＩＤを訪問者または客の顔と比較することによって、訪問者または客の識別を認証するはずである。一実施形態では、ベース・ステーション１２は、バッジを充電するのに使用され得る。
【００１６】
代替案では、訪問者または客の画像は、任意の他の識別と一緒に、訪問者または客の到着の前に電子的に供給され得る。訪問者または客のデータは、ベース・ステーションに接続されたコンピュータに中継され得る。あるいは、データは、外部ハード・ドライブ、サム・ドライブ、または類似物などのポータブル・ドライブによってベース・ステーション１２に供給され得る。その場合に、訪問者または客は、たとえば、本発明の識別バッジ・システム１０の操作員に提示するためにバーコード・レシートまたはＱＲコード・レシートを与えられ得、操作員は、バーコード・リーダーまたはＱＲコード・リーダーを用いてそのレシートをスキャンして、再利用可能バッジ２０上に画像を作ることができる。
【００１７】
これは、たとえば会議に間に合うように、訪問者もしくは客の大きい集団が同時に到着する時、または長い認証および印刷プロセスを待つ時間がないＶＩＰ客に関して、特に有利である。これは、たとえば、訪問者または客が会議へのアクセスのために事前に登録し、かつ／または事前に支払うことを要求される会議または他のイベントでも有利である。訪問者または客は、事前に登録し、彼ら自身の電子画像をアップロードした後に、バーコード・レシートまたはＱＲコード・レシートを与えられるものとすることができる。その後、彼らがチェックイン・デスクに到着した時に、彼らは、出迎え係にレシートを提供し、出迎え係は、バーコード・リーダーまたはＱＲコード・リーダーを用いて情報をスキャンして、ベース・ステーション１２に中継するための電子画像を取り出し、写真ＩＤを訪問者または客の顔と比較することによって訪問者または客の識別を認証する。
【００１８】
本発明の再利用可能バッジ２０の一実施形態を、図３により明瞭に示す。再利用可能バッジ２０は、ハウジング２２、ｅペーパー・ディスプレイ２４、および準備インジケータを有する（代替実施形態では、グレイスケールｅペーパー・ディスプレイまたは白黒ｅペーパー・ディスプレイを使用することができる）。準備インジケータは、図１〜図３ではインジケータ・ライト２６として図示されている。しかし、当業者は、本発明の趣旨から逸脱せずに、準備インジケータを、ｅペーパー・ディスプレイ上の照らされたバックライトまたは可聴信号（図示せず）とすることができることを理解しよう。
【００１９】
ハウジング２２は、好ましくは、ｅペーパー・ディスプレイ２４を保護すると同時に、訪問者または客の重荷にならないのに十分に軽量であるために、プラスティックから作られる。ハウジング２２は、再利用可能バッジ２０がドッキング・レセプタクル１４内にドッキングされる時のベース・ステーション１２との通信のために、その基部、側面、または背面に適切な接点を設けられる。図３に示された実施形態では、接点４２が、対応するベース・ステーション接点（図示せず）との接触のためにハウジング２２の前面に設けられる。当業者は、本発明の趣旨から逸脱せずに、接点４２の他の個数または構成が可能である可能性があることを理解しよう。
【００２０】
ハウジング２２は、訪問者または客がラニヤード、ストラップ、クリップ、または類似物を用いて再利用可能バッジ２０を持ち運ぶことを可能にするためにループ２８を設けられることが好ましい。
【００２１】
ｅペーパー・ディスプレイ２４は、ｅインクを用いて提供され得、ｅインクは、静電気を充電されたガラスの２枚のプレートの間に懸濁された多数の明るいナノ粒子および暗いナノ粒子からなる電気泳動ディスプレイである。ｅペーパーは、電子ディスプレイ内でインクの外見を模倣する。ディスプレイは、雇用者および／またはイベントの要件および／または望みに応じて、白黒またはカラーとすることができる。適切な電子ディスプレイは、電気泳動技法、エレクトロウェッティング技法、電気流体技法、干渉変調器技法、プラズモン技法を限定なしに含むさまざまな技法によって提供され得る。一実施形態では、カラー透明フィルム（図示せず）が、再利用可能バッジ２０のディスプレイ部分、特に、非限定的な例として訪問者、商人、および他の臨時の人員の区別のための写真などのｅペーパー・ディスプレイ２４の少なくとも一部の上に配置され得る。
【００２２】
訪問者または客の画像３０が、画像中継デバイスからベース・ステーション１２に送信され、再利用可能バッジ２０がベース・ステーション１２にドッキングされている時に再利用可能バッジ２０に通信される。
【００２３】
訪問者または客の氏名、会社名、訪問される人の氏名、訪問される人の電話番号、期待される滞在時間、訪問者または客の会社ロゴ、訪問されるイベントまたは会社のロゴ、訪問の理由、および類似物を限定なしに含む追加情報３２が、提供されることが好ましい。
【００２４】
別の実施形態では、バー・コード３４またはＱＲコードなどの識別する記号が、ベース・ステーション１２を介してｅペーパー・ディスプレイ２４に中継される。識別する記号は、訪問者または客、より大きいイベント内の事前に支払われたランチなどの特別なイベントへのアクセスの許可、重要な医療情報またはアレルギ情報、ＩＣＥ番号、および類似物に関するさらなる詳細を含むことができる。
【００２５】
インジケータ・ライト２６は、ベース・ステーション１２が電子画像２０、任意の追加情報３２、および／または識別する記号３４のｅペーパー・ディスプレイ２４への通信を完了したことをシグナリングすることができる。インジケータ・ライト２６は、再利用可能バッジ２０をベース・ステーション１２から除去できることをシグナリングする。ｅペーパー・ディスプレイ２４は、再利用可能バッジ２０内の電源を必要とせずに、再利用可能バッジ２０がベース・ステーション１２から除去された後に電子画像３０を維持する。一実施形態では、インジケータ・ライト２６または別のもしくは追加のインジケータ・ライト（図示せず）が、バッジのバッテリ・レベルまたは電力レベルを示すことができ、かつ／または非限定的な例として緊急時にフラッシュするなど、緊急通知に使用され得る。
【００２６】
本発明の識別バッジ・システム１０の別の実施形態を、図４および図５に示す。この実施形態では、再利用可能バッジ２０は、単一のドッキング・レセプタクル１４内に積み重ねられる。接点４２が、再利用可能バッジ２０の基部に設けられ、ドッキング・レセプタクル１４の内側背面の対応する接点４４と係合するように構成される。
【００２７】
また、図４および図５に示された実施形態では、準備インジケータは、ベース・ステーション１２上のインジケータ・ライト４６である。インジケータ・ライト４６は、再利用可能バッジ２０をベース・ステーション１２から除去できることをシグナリングする。ｅペーパー・ディスプレイ２４は、再利用可能バッジ２０内の電源を必要とせずに、再利用可能バッジ２０がベース・ステーション１２から除去された後に電子画像３０を維持する。
【００２８】
さらなる実施形態では、再利用可能バッジ２０は、ハウジング２２内に収容されたｒａｄｉｏ  ｆｒｅｑｕｅｎｃｙ  ｉｄｅｎｔｉｆｉｃａｔｉｏｎタグ（「ＲＦＩＤタグ」）（図示せず）を有する。ＲＦＩＤタグは、ＨＦ  ＲＦＩＤタグまたはＵＨＦ  ＲＦＩＤタグであることが好ましい。
【００２９】
ＲＦＩＤタグは、たとえばベース・ステーション１２内に設けられたＲＦＩＤリーダーと通信するように適合される。代替案では、ＲＦＩＤリーダーは、別々の機器とすることができる。ベース・ステーション１２が、ＲＦＩＤリーダー（図示せず）を備えることが好ましい。
【００３０】
ＲＦＩＤタグは、ベース・ステーションからの再利用可能バッジの除去のタイム・スタンプ、ベース・ステーションでの再利用可能バッジの再ドッキングのタイム・スタンプ、電子画像３０情報、電子画像３０に関連する電子アイデンティティ情報、説明可能な人の情報、認証情報、およびその組合せを限定なしに含む追跡情報を提供するのに使用され得る。再利用可能バッジ２０の内部のＲＦＩＤタグは、セキュア施設の標準的なアクセス制御リーダー、ライタ、およびコントローラと通信することができる。
【００３１】
より具体的には、ＲＦＩＤ（Ｒａｄｉｏ−ｆｒｅｑｕｅｎｃｙ  ｉｄｅｎｔｉｆｉｃａｔｉｏｎ）は、電磁場を使用して、物体に取り付けられたＲＦＩＤタグを自動的に識別し、追跡する。電磁場は、通常はたとえば通路の近くに配置されるアクセス・リーダーによって生成され得る。生成された場は、ＲＦＩＤタグをアクティブ化し、その中に記憶されたデータを送信させる。データは、アクセス・リーダーによって読み取られ、その後に記憶される。このデータは、各タグを識別するのに使用される一意のＩＤ番号を含む。一実施形態では、このプロセスの追跡要素は、既知の位置に固定されたリーダーによってアクティブ化され、読み取られた時の各一意のタグの日付および時刻を単純にログ記録する。
【００３２】
一実施形態では、再利用可能バッジ２０は、リアルタイム位置追跡（ＲＴＬＳ）用のＷｉ−Ｆｉトランスポンダおよび回路網を有する。再利用可能バッジ２０は、施設内のＷｉ−ＦｉルータまたはＢｌｕｅｔｏｏｔｈビーコンにラジオ周波数信号を送る。この追跡は、ＧＰＳ（全地球測位システム）を使用するリアルタイム位置追跡を含み、デジタル訪問者バッジとは別のセキュア位置に記憶されるヒストリカル位置追跡情報を提供することができる。
【００３３】
すなわち、一実施形態では、Ｗｉ−Ｆｉ位置追跡システムは、既存のＷｉ−Ｆｉリソース、たとえばルータおよびアクセス・ポイントを活用して、訪問者バッジの位置を追跡する。本発明のバッジの内部のトランスポンダおよび関連する回路網は、標準Ｗｉ−Ｆｉ周波数を使用して、その位置が既知であるこれらのソースを検出する。信号強度、大気圧、およびＳＳＩＤ（無線ローカル・エリア・ネットワーク関連する名前）などのデータが、収集され、それらの受信を待っているソフトウェアに、同一のＷｉ−Ｆｉインフラストラクチャを介して送信される。複数の技法を使用して、Ｗｉ−Ｆｉソースに関するバッジの位置が、変化する度合の正確さで３Ｄ空間内で計算され得る。
【００３４】
一実施形態では、Ｗｉ−Ｆｉ追跡システムは、後方散乱を利用して、バッテリからのエネルギをほとんどまたは全く用いずに、Ｗｉ−Ｆｉ信号上で情報を符号化する。現在のルータおよびアクセス・ポイントは、後方散乱が雑音であり、通信に使用されないと考えられるので、後方散乱をフィルタによって除去するように設計されている。ルータおよびアクセス・ポイント上のカスタム・ファームウェアは、デジタル包絡線検出器および低域フィルタを使用して、受信された後方散乱から符号化された情報を抽出する。バッジのＩＤは、実際のハウジング内で不可視に符号化され、後方散乱を使用して読み取られる。
【００３５】
別の実施形態では、再利用可能バッジ２０は、たとえばバッテリ（図示せず）またはキャパシタ（図示せず）などの電源を設けられる。
【００３６】
たとえば、再利用可能バッジ２０が規定された時間期間内に再ドッキングされない場合に、ｅペーパー・ディスプレイ２４から電子画像３０を消去するのに十分な電荷を保持するキャパシタを提供することができる。代替案では、キャパシタは、再利用可能バッジが規定された時間期間内に再ドッキングされない場合に、たとえば再利用可能バッジ２０が満了したことを示すメッセージ、絵図、テキスト画像、セキュリティ電話番号に電話するための通知、規定された満了色、クロスハッチ、およびその組合せによって、ｅペーパー・ディスプレイから電子画像を上書きするのに十分な電荷を提供することができる。
【００３７】
さらなる別の実施形態では、バッジ内の内部回路網は、バッジのアクティブ化の後に、施設においてバッジが施設のＷｉ−Ｆｉ、Ｂｌｕｅｔｏｏｔｈ、または他の電子通信デバイスとの接続性を失う場合に、その時に、バッジを使用不能にするために自己破壊するようにプログラムされまたは他の形で設計される。
【００３８】
別の実施形態では、図６Ａおよび図６Ｂの実施形態に関して説明されるように、再利用可能なバッテリとすることのできるバッテリが、たとえば再利用可能バッジ２０の第２のページ上で、たとえば訪問者または客が情報または安全情報にアクセスすることを可能にするために設けられる。
【００３９】
図６Ａおよび図６Ｂは、本発明の識別バッジ・システム１０の再利用可能バッジ２０のさらなる実施形態を示す。しばしば、訪問者または客は、アクセス制限された施設でチェックインする時に、たとえば火災避難マップを含む、安全情報を有する追加パンフレットを与えられる。本発明のｅペーパー・ディスプレイ２４は、たとえば、安全情報、たとえば図６Ａに示されている火災避難計画３６を示すｅペーパー・ディスプレイ２４の少なくとも１つの追加ディスプレイ・ページにスワイプすることを可能にするように構成され得る。他のタイプの安全情報は、緊急電話番号、研究室安全予防措置、現場固有の危険に関する情報、および類似物を含むことができる。一実施形態では、再利用可能バッジ２０は、緊急通知のために内蔵ブザーを有する。ｅペーパー・ディスプレイ２４が、規定された時間期間内に電子画像３０にデフォルトで戻ることが好ましい。
【００４０】
安全情報の代わりにまたはそれに加えて、本発明のｅペーパー・ディスプレイ２４は、図６Ｂに示された会議または会合の日程３８、または訪問者に関する他の所望の情報に関する少なくとも１つの追加のページを含むように構成され得る。
【００４１】
本開示の好ましい実施形態を説明したが、下で請求される本発明の趣旨から逸脱せずに、さまざまな変更、適合、および修正を行うことができることを理解されたい。
【図１】
2021510862.tif 000003
【図２】
2021510862.tif 000004
【図３】
2021510862.tif 000005
【図４】
2021510862.tif 000006
【図５】
2021510862.tif 000007
【図６Ａ】
2021510862.tif 000008
【図６Ｂ】
2021510862.tif 000009
【国際調査報告】
2021510862.tif 000010
2021510862.tif 000011
2021510862.tif 000012